(57)【特許請求の範囲】
【請求項１】
貯蔵庫本体の開口部の上縁に沿って配設されたレールには、前記開口部を開閉するスライド扉の上縁に立設された支持ブラケットに回転自由に支持されたハンガローラが装着され、
このハンガローラにおける前記レールに転動する周面が、前記貯蔵庫本体側の端縁に向けて次第に径が大きくなる傾斜面とされているとともに、
前記スライド扉の上縁には、前記貯蔵庫本体の開口部の上縁に沿って形成されたガイド路を転動可能なガイドローラが設けられ、前記ガイド路には、前記スライド扉が全閉位置にある場合に前記ガイドローラと対応して同ガイドローラを落とし込む凹部が設けられており、
全閉位置では、前記ガイドローラが前記凹部に落とし込まれることで前記スライド扉が前記貯蔵庫本体側に接近して同スライド扉の裏面を前記開口部の口縁に密着させ、
開放時には、前記ガイドローラが前記凹部から脱出して前記ガイド路に乗り上げることに伴い、前記ハンガローラの前記傾斜面が前記レールを上って前記傾斜面の裾部が前記レールに載った状態になりつつ、前記スライド扉が庫外側の斜め上方に移動し、前記スライド扉が前記貯蔵庫本体から離間した状態で前記レールに沿って移動する構成としたことを特徴とする冷却貯蔵庫の扉装置。
【請求項２】
前記ハンガローラにおける前記傾斜面の前記貯蔵庫本体側の端縁には、前記レールの前記貯蔵庫本体と対向する面に係止して前記ハンガローラが前記レールを越えて前記貯蔵庫本体とは反対側に脱落することを規制する規制部が径方向に張り出し形成されていることを特徴とする請求項１記載の冷却貯蔵庫の扉装置。
【請求項３】
前記レールの上面が円弧形面に形成されている一方、前記ハンガローラの前記傾斜面における前記スライド扉が開放状態にある場合の前記レールの上面に転動する部分には、前記レールの上面が嵌る円弧形をなす凹面が形成されていることを特徴とする請求項１または請求項２記載の冷却貯蔵庫の扉装置。
【請求項４】
前記スライド扉の上縁には、２個の前記ガイドローラが前記スライド扉の開閉方向に間隔を開けて設けられるとともに、前記ガイド路には、前記スライド扉が全閉位置にある場合に前記各ガイドローラをそれぞれ落とし込み可能な２個の前記凹部が設けられており、
前記両ガイドローラのうち前記スライド扉の開放方向の後側に位置する前記ガイドローラは、前記スライド扉の開放時には全閉時よりも所定寸法高位置に上昇するようになっているとともに、
前記ガイド路では、前記両凹部のうち前記スライド扉の開放方向の前側に位置する前記凹部の上方に、高位置に上昇した後側の前記ガイドローラが転動して通過することを許容する通過路が設けられていることを特徴とする請求項１ないし請求項３のいずれか一項に記載の冷却貯蔵庫の扉装置。
【発明の詳細な説明】
【技術分野】
【０００１】
本発明は、プレハブ式冷蔵庫等の冷却貯蔵庫に装備される扉装置に関する。
【背景技術】
【０００２】
従来、プレハブ式冷蔵庫の扉装置として、特許文献１に記載されたものが知られている。このものは、貯蔵庫本体の前面等に出入口用の開口部が形成されてこの開口部の上縁に沿って水平なレールが配設され、このレールにスライド扉の上縁に設けられた例えば一対の車輪が転動可能に装着されるとともに、レールには、各車輪を落とし込むことが可能で貯蔵庫本体側に接近するように斜め下向きに凹み形成された凹部が設けられた構造である。そしてスライド扉は、両車輪をレール上で転動させつつ開閉され、全閉されたときには、車輪が対応する凹部に落とし込まれることでスライド扉が貯蔵庫本体側に接近して、スライド扉の内面の周縁部を開口部の口縁に密着させることで密閉し、全閉状態から開放するときには、車輪を対応する凹部から脱出させつつスライド扉を貯蔵庫本体から離間するように斜め上方に移動させた状態として、レールに沿って移動させるようになっている。
【０００３】
ここで、スライド扉を開放する際に同スライド扉を前方の斜め上方に移動させる理由は、以下のようである。前方への移動については、スライド扉が開閉する際に、内面側に装着されたパッキンが開口部の口縁を含む貯蔵庫本体の前面を摺接しないようにするためであり、仮にパッキンが摺接すると、パッキンが早期に擦り切れ、またスライド扉の開閉に際してかなりの力を要することも懸念されるため、それを回避することを意図している。
上方への移動については、スライド扉を閉じたときに扉の自重を利用してパッキンを開口部の口縁に押し付けることができ、開口部の密閉性の向上に寄与し得る。また、この種のプレハブ式冷蔵庫では、貯蔵物を台車に載せて台車ごと庫内に入れることができるように、開口部の下縁を床面に開放した構造とする場合があり、そのときはスライド扉の下面にズリゴムを設けて床面との間を密閉するのであるが、上記のようにスライド扉が上方に移動することで、扉開閉時にズリゴムが床面を摺接するのが回避される。
【先行技術文献】
【特許文献】
【０００４】
【特許文献１】実公平２−１８４７０号公報
【発明の概要】
【発明が解決しようとする課題】
【０００５】
上記従来技術では、スライド扉を全閉位置から開ける場合には、車輪を対応する凹部から脱出させつつ、言い換えると車輪が落とし込まれた分だけスライド扉を持ち上げるようにして引き操作する必要があり、特にこの種のプレハブ式冷蔵庫のスライド扉は相応に重いことから、開放時において大きな操作力が必要になるという問題があった。  
本発明は上記のような事情に基づいて完成されたものであって、その目的は、スライド扉を開放する際の操作性を向上させるところにある。
【課題を解決するための手段】
【０００６】
本発明の冷却貯蔵庫の扉装置は、貯蔵庫本体の開口部の上縁に沿って配設されたレールには、前記開口部を開閉するスライド扉の上縁に設けられたハンガローラが装着され、このハンガローラにおける前記レールに転動する周面が、前記貯蔵庫本体側の端縁に向けて次第に径が大きくなる傾斜面とされているとともに、前記スライド扉の上縁には、前記貯蔵庫本体の開口部の上縁に沿って形成されたガイド路を転動可能なガイドローラが設けられ、前記ガイド路には、前記スライド扉が全閉位置にある場合に前記ガイドローラと対応して同ガイドローラを落とし込む凹部が設けられており、全閉位置では、前記ガイドローラが前記凹部に落とし込まれることで前記スライド扉が前記貯蔵庫本体側に接近して同スライド扉の裏面を前記開口部の口縁に密着させ、開放時には、前記ガイドローラが前記凹部から脱出して前記ガイド路に乗り上げることに伴い、前記ハンガローラの前記傾斜面が前記レールを上りつつ前記スライド扉が庫外側の斜め上方に移動し、前記スライド扉が前記貯蔵庫本体から離間した状態で前記レールに沿って移動する構成としたところに特徴を有する。
【０００７】
スライド扉が全閉されたときには、ガイドローラがガイド路の凹部に落とし込まれることにより、スライド扉が自重により斜め方向に貯蔵庫本体側に接近して開口部の口縁が密閉される。スライド扉を全閉状態から開放する際には、スライド扉を手前側に引きつつ開放方向に移動させると、ガイドローラが凹部から脱出してガイド路上に乗り上げ、それに伴い、ハンガローラの傾斜面がレールを上りつつスライド扉が庫外側の斜め上方に移動して貯蔵庫本体から離間し、引き続いてレールに沿って移動して開放される。  
スライド扉の開放時には、垂直方向に扉を引き上げる必要がなく、扉を斜め手前に引き操作すればよく、言い換えると力の入れやすい形態で開放操作を行うことができて、操作性を向上させることができる。
【０００８】
また、以下のような構成としてもよい。  
（１）前記ハンガローラにおける前記傾斜面の前記貯蔵庫本体側の端縁には、前記レールの前記貯蔵庫本体と対向する面に係止して前記ハンガローラが前記レールを越えて前記貯蔵庫本体とは反対側に脱落することを規制する規制部が径方向に張り出し形成されている。  
開放時において、ガイドローラが凹部から脱出してガイド路に乗り上げることに伴い、ハンガローラの傾斜面がレールを上りつつ、言い換えるとレールが傾斜面を降りつつ、スライド扉が庫外側の斜め上方に移動するのであるが、レールが傾斜面の裾の位置まで降ると、レールの貯蔵庫本体と対向する側の面が規制部に当たることでそれ以上降ることが規制され、すなわちハンガローラがレールを越えて貯蔵庫本体とは反対側に脱落することが防止される。
【０００９】
（２）前記レールの上面が円弧形面に形成されている一方、前記ハンガローラの前記傾斜面における前記スライド扉が開放状態にある場合の前記レールの上面に転動する部分には、前記レールの上面が嵌る円弧形をなす凹面が形成されている。  
スライド扉が開放される際には、ハンガローラの傾斜面に設けられた円弧形の凹面に同形状のレールの上面が嵌った状態で、ハンガローラがレールに沿って転動する。  
ハンガローラの傾斜面が平面であってこれに円弧形のレールの上面が当接した状態でハンガローラが転動すると、線接触状態となることで応力が高くなるために耐久性を考慮する必要があり、ハンガローラの材料や形状に大幅な制約を受ける可能性がある。それに対して上記構成では、ハンガローラはレールに対して面接触した状態で転動することになるからハンガローラに対する応力が緩和され、そのためハンガローラの材料や形状等の選択の自由度が広がり、製造コストの低減に寄与し得る。
【００１０】
（３）前記スライド扉の上縁には、２個の前記ガイドローラが前記スライド扉の開閉方向に間隔を開けて設けられるとともに、前記ガイド路には、前記スライド扉が全閉位置にある場合に前記各ガイドローラをそれぞれ落とし込み可能な２個の前記凹部が設けられており、前記両ガイドローラのうち前記スライド扉の開放方向の後側に位置する前記ガイドローラは、前記スライド扉の開放時には全閉時よりも所定寸法高位置に上昇するようになっているとともに、前記ガイド路では、前記両凹部のうち前記スライド扉の開放方向の前側に位置する前記凹部の上方に、高位置に上昇した後側の前記ガイドローラが転動して通過することを許容する通過路が設けられている。
【００１１】
スライド扉に対して扉開放方向の前後に２個のガイドローラを設けた場合の開閉構造の一形式としては、ガイド路に対してガイドローラを落とし込み可能な凹部を扉開放の前後方向に間隔を開けて都合３個形成し、全閉時には、後側と前側のガイドローラをそれぞれ後部と中央部の２個の凹部にそれぞれ落とし込ませ、開放時には両ガイドローラを各凹部から脱出させたのちガイド路を転動させ、全開時に至ると、後側と前側のガイドローラをそれぞれ中央部と前部の２個の凹部に落とし込ませる、といった構造が考えられる。  
上記構造であると、全開位置からスライド扉を閉鎖する場合に、両ガイドローラを凹部から脱出させねばならないため、閉じ始めに大きな引き操作力が必要になるという問題がある。また上記構造であると、全開時においてスライド扉が開口部に全く臨まないようにするためには、前後のガイドローラはスライド扉の幅一杯に配する必要があり、それに対応してガイド路も長く形成しなければならないう問題もあった。
【００１２】
そこで上記構成によると、スライド扉が全閉位置から開放操作されると、両ガイドローラは対応する凹部から脱出したのちガイド路を転動し、この間に後側のガイドローラの位置が所定寸法上昇し、同ガイドローラが前側の凹部と対応した位置に差し掛かったところでは、同凹部に落とし込まれることなくその上方の通過路を通過し、両ガイドローラとも引き続いてガイド路を転動して全開位置に至る。  
全開位置においてはガイドローラが凹部に落とし込まれないようにしたから、全開位置からスライド扉を閉鎖する場合にガイドローラを凹部から脱出させることが不要であって、閉じ始めの操作力を低減することができる。  
また、スライド扉を開いたときにガイドローラが凹部に落ちないようにしたから、スライド扉が開口部に全く臨まない全開状態を担保するについて、前後のガイドローラの間隔をスライド扉の幅一杯に取ることなくそれよりも短くできる。これにより、スライド扉を全開した場合の前側のガイドローラの位置が開口部側に寄ることとなり、結果ガイド路の全長を小さく抑えることが可能となる。
【発明の効果】
【００１３】
本発明によれば、スライド扉を全閉状態から開放する際の操作性を向上させることができる。
【図面の簡単な説明】
【００１４】
【図１】本発明の実施形態１に係るプレハブ式冷蔵庫の閉扉状態の正面図
【図２】その一部切欠側断面図
【図３】スライド扉の全閉状態の部分断面図
【図４】スライド扉の開放状態の部分断面図
【図５】スライド扉の全閉状態の部分平面図
【図６】スライド扉の全開状態の部分平面図
【図７】スライド扉の全閉状態の部分正面図
【図８】スライド扉の全開状態の部分正面図
【図９】補強フレームの斜視図
【図１０】ガイド部材の一部切欠正面図
【図１１】同一部切欠平面図
【図１２】図４の部分拡大図
【図１３】実施形態２に係るスライド扉の開放状態の部分断面図
【図１４】実施形態３に係るハンガローラの側面図
【図１５】本発明の実施形態４に係るガイドローラの装着構造を示す一部切欠側面図
【図１６】支持ブラケットの斜視図
【図１７】スライド扉の全閉状態の部分平面図
【図１８】ガイド部材の分解斜視図
【図１９】両ガイド部材が所定に配設された場合の斜視図
【図２０】スライド扉が全閉位置にある場合のガイドローラとガイド路との位置関係を示す概略正面図
【図２１】スライド扉が開放途中にある場合の同図
【図２２】スライド扉が全開位置にある場合の同図
【発明を実施するための形態】
【００１５】
以下、本発明の実施形態を添付図面に基づいて説明する。  
＜実施形態１＞
本発明の実施形態１を図１ないし図１２によって説明する。この実施形態では、プレハブ式冷蔵庫を例示している。  
図１において、符号１０は貯蔵庫本体であって、複数枚の断熱パネルを組み付けた方形の断熱箱体から構成されている。貯蔵庫本体１０の前面における正面から見た左半分の領域には、出入口となる縦長の開口部１１が形成されているとともに、この開口部１１を開閉する断熱性のスライド扉１５が配設されている。このスライド扉１５の表面における左側縁部には、同スライド扉１５を開閉操作するための把手１６が設けられており、またスライド扉１５の裏面の周縁部には、図２に示すように、上記した開口部１１の口縁部に当接して同開口部１１を密閉するためのパッキン１７が装着されている。
【００１６】
続いて、スライド扉１５の開閉構造を説明する。  
貯蔵庫本体１０の前面には、スライド扉１５を走行案内するためのレール２０が、開口部１１の上縁に沿った位置で、かつ貯蔵庫本体１０の幅方向の中央部における開口部１１の間口の２倍強の長さ領域に亘って水平姿勢で装着されている。レール２０は、アルミニウムの中空押出成形品であって、図３に示すように、断面略直角三角形をなす基部２１の突出端側に、レール部２２が設けられた構造である。レール２０は、基部２１における垂直な背面の上下両縁からそれぞれ突設された取付板２４が貯蔵庫本体１０の前面に当てられ、長さ方向に間隔を開けた複数箇所が通しボルト２５とねじ２６で締結されて固定されている。  
レール２０における基部２１の前方への突出端、言い換えると前下がりの傾斜面の裾の部分には、所定厚さを持った縦長の中空体からなるレール部２２が立ち上がり形成されている。このレール部２２の上面２２Ａは、断面半円形状に形成されている。
【００１７】
スライド扉１５の上縁には、左右一対のハンガローラ３０が配されている。そのため、スライド扉１５の上面の表面側の領域における左右両端に寄った位置には、チャンネル材を縦向きとしたような形状になる支持ブラケット３６がねじ止めされて立設されており、各支持ブラケット３６の上端部の裏面側に、ハンガローラ３０が水平軸３１を中心とした回転自由に支持されている。
【００１８】
ハンガローラ３０は、図１２に詳細に示すように、上記したレール部２２の２倍強の厚さを持った厚肉の円盤状で、かつその外周面には、底に丸みを付けた略Ｖ字形をなす溝３４が形成されている。言い換えると、ハンガローラ３０の外周面には、厚さ方向のほぼ中央部から両端面に向けて次第に拡径する傾斜面が形成され、このうち貯蔵庫本体１０側の傾斜面３２の方が反対側の傾斜面よりも裾が長く形成されていて、この長い方の傾斜面３２が、上記したレール部２２の上面２２Ａに摺接するようになっている。  
また、傾斜面３２の裾の部分には、径方向に所定寸法張り出した規制部３３が全周に亘って形成されている。この規制部３３は、後記するように、レール部２２の上端部における貯蔵庫本体１０と対向する面（裏面）に係止し、ハンガローラ３０がレール部２２の表側に越えることを規制するように機能する。
【００１９】
このような左右のハンガローラ３０が、上記したレール部２２に対して吊り下げ状態で載せられ、詳しくは後記するように、スライド扉１５は、両ハンガローラ３０をレール部２２に沿って転動させつつ、図１に示すように、貯蔵庫本体１０の開口部１１を全閉する全閉位置と、図８に示すように、開口部１１を全開する全開位置との間で左右に往復移動し得るようになっている。  
なお、この間、図１及び図２に示すように、スライド扉１５の下縁に設けられた下部ガイド１８が、設置面に設けられたローラ１９を挟んでいることにより、スライド扉１５の下端側がばたつくことなく、スムーズに開閉されるようになっている。
【００２０】
左右の支持ブラケット３６の間には、補強フレーム４０が差し渡されている。この補強フレーム４０は、図９にも示すように、両支持ブラケット３６の間隔に等しい長さを持ったアングル材４１と、同アングル材４１よりも長いＺ型材４２とが一体化されて形成されており、全体としては、両支持ブラケット３６の間隔に等しい長さを持った角筒部４３を有し、この角筒部４３の上面の両端から縦取付板４４が立ち上がり形成され、また同角筒部４３の背面の両端から、横取付板４５が延出形成された形状となっている。なお、角筒部４３の背面から両横取付板４５に亘る下縁には、裏側に向けて水平姿勢で突出した突当板４６が形成されている。  
上記した補強フレーム４０は、支持ブラケット３６の略中央高さ位置において、各横取付板４５を各支持ブラケット３６の裏面に当てつつ、角筒部４３が両支持ブラケット３６の間に嵌められ、各横取付板４５が対応する支持ブラケット３６の裏面にねじ４７（図１２）で固定されるとともに、各縦取付板４４が対応する支持ブラケット３６の側面にねじ４８（図２）で固定されている。
【００２１】
上記した補強フレーム４０の角筒部４３の上面には、その長さ方向の中心でかつ後縁寄りの位置に垂直軸４９が立てられており、この垂直軸４９に、ガイドローラ５０が回転自由に支持されている。  
一方、上記したレール２０の突出端には、レール部２２の下方において、断面方形をなす中空状の取付部２７が形成されており、この取付部２７の前面が配設面２８とされて同配設面２８に沿ってガイド部材５２が配設されている。このガイド部材５２は、図１０及び図１１にも示すように、レール２０の半分強の長さを持ったアングル材５３から構成されており、このアングル材５３の垂直板５４の表面が、ガイドローラ５０が転動する水平方向に細長いガイド路５５となっている。裏側に突出した水平板が取付板５６となっている。
【００２２】
ガイド部材５２に設けられたガイド路５５の縦幅は、ガイドローラ５０の厚さよりも少し大きく設定されている。ガイド路５５を構成する垂直板５４の左端からは、同垂直板５４よりも少し縦幅の小さい帯状片５７が延出形成されている。この帯状片５７は、ガイドローラ５０の直径の約２倍の長さを持ち、その基端側（右側）の半分が、裏側に向けて鈍角に曲げられたのち、残りの先端側（左側）がガイド路５５から裏側に所定寸法引っ込んだ位置においてガイド路５５と平行姿勢を採っており、これにより、ガイドローラ５０を落とし込み可能な凹部６０が形成されている。言い換えると、この凹部６０は、ガイド路５５から所定寸法引っ込んだ奥面６１Ａと、同奥面６１Ａとガイド路５５の左端を結ぶ緩傾斜の傾斜面６１Ｂとから構成されている。
【００２３】
上記のような構造のガイド部材５２は、凹部６０を含むガイド路５５が、レール２０の取付部２７の配設面２８に沿って配された状態で、取付板５６が取付部２７の下面である取付面２９に当てられ、長さ方向に間隔を開けた複数箇所をねじ２９Ａで止めることによって固定されている。このとき、ガイド路５５の左端に連設された凹部６０は、図７に示すように、スライド扉１５が全閉位置にある場合のガイドローラ５０の裏側に位置し、また、ガイド路５５の右端５５Ｒは、図８に示すように、スライド扉１５が全開位置にある場合のガイドローラ５０の位置よりも右側に所定寸法突出した位置に来るようになっている。  
なお、レール２０の配設面２８における左端部と右端部とには、それぞれストッパ６３が設けられており、左側の支持ブラケット３６が左側のストッパ６３に当接することでスライド扉１５を全閉位置で、また右側の支持ブラケット３６が右側のストッパ６３に当接することでスライド扉１５を全開位置で、それぞれ移動停止させるようになっている。
【００２４】
そして、スライド扉１５が全閉位置にあるときには、ガイドローラ５０がガイド路５５の左端の凹部６０と対応して同凹部６０に落ち込み、このとき図３に示すように、レール部２２の上面２２Ａがハンガローラ３０の傾斜面３２を頂上部まで昇りつつ、両ハンガローラ３０が共に貯蔵庫本体１０側に接近するように斜め下向き移動し、これに伴いスライド扉１５が、同じく貯蔵庫本体１０側に接近するように斜め下向きに所定寸法移動し、同スライド扉１５の裏面に装着されたパッキン１７が、開口部１１の口縁部に弾縮しつつ押し付けられる設定となっている。  
一方、ガイドローラ５０が凹部６０を脱出してガイド路５５上に移動した場合は、スライド扉１５が手前に押し出される力を受け、図４及び図１２に示すように、レール部２２の上面２２Ａがハンガローラ３０の傾斜面３２を頂上部から裾部まで降りつつ、両ハンガローラ３０が共に貯蔵庫本体１０から離間するように斜め上向きに移動し、これに伴いスライド扉１５も貯蔵庫本体１０から離れるように斜め上向きに所定寸法移動し、スライド扉１５の裏面のパッキン１７が、貯蔵庫本体１０の前面から所定寸法離間するようになっている。
【００２５】
また、レール２０の取付部２７の下面の取付面２９には、脱落防止部材６５が取り付けられている。この脱落防止部材６５は、ガイド部材５２とほぼ同じ全長を持つ帯材を幅方向の中央で鈍角に折曲して緩やかな山形断面に形成され、一方の傾斜面が被突当板６６に、他方の傾斜面が取付板６７となっている。  
このような脱落防止部材６５の取付板６７が、ガイド部材５２の取付板５６の下面に重ねられて、上記のねじ２９Ａで共締めされて固定されている。そして、被突当板６６は、やや先下がりの傾斜姿勢で前方に突出し、その突出端はガイド路５５の表面より少し前方に至っている。  
スライド扉１５側との位置関係については、同スライド扉１５が開放位置にある場合において、図１２に示すように、被突当板６６の突出端は、補強フレーム４０の支持ブラケット３６に対する固定位置Ｘに対して裏側の斜め下方に位置し、併せて、補強フレーム４０の突当板４６の小寸法上方位置まで進出している。
【００２６】
本実施形態は上記のような構造であって、スライド扉１５が図１に示す全閉位置にあるときには、ガイドローラ５０がガイド路５５に設けられた凹部６０に落とし込まれることにより、図３、図５及び図７に示すように、スライド扉１５は自重により貯蔵庫本体１０側に接近するように斜め下方に移動し、裏面のパッキン１７が貯蔵庫本体１０の開口部１１の口縁部に密着して同開口部１１が密閉される。ハンガローラ３０については、傾斜面３２の頂上部がレール部２２に載った状態にある。  
スライド扉１５を全閉状態から開放する際には、把手１６を持ってスライド扉１５を手前側に引きつつ図１の右方向に移動させると、ガイドローラ５０が凹部６０の傾斜面６１Ｂを昇ってガイド路５５上に乗り上げ、それに伴い、図４に示すように、ハンガローラ３０の傾斜面３２がレール部２２を上って同傾斜面３２の裾部がレール部２２に載った状態となりつつ、スライド扉１５が庫外側の斜め上方に移動し、スライド扉１５の裏面のパッキン１７が全周に亘って貯蔵庫本体１０の前面から離間する。そののちスライド扉１５は、両ハンガローラ３０の傾斜面３２の裾部がレール部２２を転動しつつ、貯蔵庫本体１０の前面との間で摩擦抵抗を受けることがない状態でスムーズに開放される。
【００２７】
ここで例えば、開扉時においてスライド扉１５を手前側に強く引くと、ハンガローラ３０の傾斜面３２がレール部２２を勢い良く昇ってレール部２２を越えることが懸念されるが、本実施形態では、ハンガローラ３０の傾斜面３２の裾部に規制部３３が設けられているから、ハンガローラ３０の傾斜面３２の裾部がレール部２２まで昇る、すなわちレール部２２が傾斜面３２の裾部まで降ると、図１２に示すように、レール部２２の上端部の裏面が規制部３３に当たることでそれ以上降ることが規制され、ハンガローラ３０がレール部２２を越えて貯蔵庫本体１０とは反対側に脱落することが防止される。  
また、ハンガローラ３０の傾斜面３２がレール部２２上を転動して走行する場合に、規制部３３がレール部２２の上端部の裏面に当たって案内されつつ転動するようになり、ハンガローラ３０ひいてはスライド扉１５が安定した姿勢を取ってスムーズに走行する。
【００２８】
スライド扉１５が全開位置まで移動すると、図６及び図８に示すように、右側の支持ブラケット３６がストッパ６３に当たって停止されるが、左右の支持ブラケット３６の間には補強フレーム４０が架け渡されて補強されているから、ストッパ６３に当たった場合の強度は確保される。なお、全閉位置に戻って左側の支持ブラケット３６にストッパ６３に当たって停止される場合の同左側の支持ブラケット３６の強度も同様に確保される。
【００２９】
また、上記のようにスライド扉１５が全開位置まで移動してストッパ６３に当たって停止した場合等、衝撃でスライド扉１５が飛び上がってハンガローラ３０がレール部２２から外れることが懸念される。  
図１２に示すように、スライド扉１５が開放位置にある状態で必要以上に上方に移動しようとすると、ガイドローラ５０を支持した補強フレーム４０に固定された突当板４６が、同図の矢線ａに示すように上動して、レール２０の取付部２７の下面に設けられた脱落防止部材６５の被突当板６６に突き当たり、支持ブラケット３６におけるハンガローラ３０を支持した上部側が、突当板４６の固定位置Ｘを中心として貯蔵庫本体１０側に向けて同図の矢線ｂに示すように時計回り方向に回動し、ハンガローラ３０が強制的にレール部２２上に戻される。これにより、ハンガローラ３０がレール２０からその前方に脱落することが防止される。
【００３０】
以上のように本実施形態によれば、スライド扉１５を全閉位置から開放する場合に、スライド扉１５を垂直方向に引き上げる必要がなく、スライド扉１５を斜め手前に引き操作すれば良く、言い換えると力の入れやすい形態で開放操作を行うことができ、操作性を向上させることができる。  
ハンガローラ３０の傾斜面３２の裾部に規制部３３を設けた構造としたから、ハンガローラ３０がレール部２２を越えて貯蔵庫本体１０とは反対側に脱落することが防止される。また、規制部３３がレール部２２の裏面に当たって案内されつつ転動するようになり、ハンガローラ３０ひいてはスライド扉１５が安定した姿勢を取ってスムーズに走行することが可能となる。
【００３１】
＜実施形態２＞
図１３は、本発明の実施形態２を示す。この実施形態では、ハンガローラ３０Ａの形状に変更が加えられている。  
実施形態１で説明したように、スライド扉１５が開閉される場合は、ハンガローラ３０Ａの傾斜面３２のうちの裾部がレール部２２上を転動するが、この実施形態では、傾斜面３２の裾部に、半円形をなすレール部２２の上面のうち裏側の一部が整合して嵌る円弧形をなす凹面６９が全周に亘って形成されている。  
その他の構造については、上記実施形態１と同様である。
【００３２】
この実施形態によれば、スライド扉１５が開放される際には、ハンガローラ３０Ａの傾斜面３２の裾部に設けられた円弧形の凹面６９に、同形状のレール部２２の上面２２Ａの一部が嵌った状態で、ハンガローラ３０Ａがレール部２２に沿って転動する。  
仮にハンガローラの傾斜面が平面であってこれに円弧形のレール部２２の上面２２Ａが当接した状態でハンガローラが転動すると、線接触状態となることで応力が高くなるために耐久性を考慮する必要があり、ハンガローラの材料や形状に大幅な制約を受ける。それに対してこの実施形態では、ハンガローラ３０Ａはレール部２２に対して面接触した状態で転動することになるからハンガローラ３０Ａに対する応力が緩和され、そのためハンガローラ３０Ａの材料や形状等の選択の自由度が広がり、製造コストの低減に寄与することができる。
【００３３】
＜実施形態３＞
図１４は、本発明の実施形態３を示す。この実施形態では、ハンガローラ３０Ｂの形状にさらに別の変更が加えられている。  
スライド扉１５の配設位置の関係等で、スライド扉１５を開閉させる場合の高さ位置を、全閉位置よりもさほど高く取る必要がない場合等には、本実施形態のハンガローラ３０Ｂのように、レール部２２上を転動する傾斜面３２Ｂを緩傾斜のものとしてもよい。
【００３４】
＜実施形態４＞
本発明の実施形態４を図１５ないし図２２によって説明する。この実施形態では、ガイドローラ５０が左右一対備えられている場合を例示している。  
まず、スライド扉１５に左右２個のガイドローラ５０を設けた場合の開閉構造の一形式としては、ガイド路５５に対してガイドローラ５０を落とし込み可能な凹部を左右方向に間隔を開けて都合３個形成し、全閉時には、左右のガイドローラ５０をそれぞれ左部と中央部の２個の凹部にそれぞれ落とし込ませ、開放時には両ガイドローラ５０を凹部から脱出させたのちガイド路５５を転動させ、全開時に至ると、左右のガイドローラ５０をそれぞれ中央部と右部の２個の凹部に落とし込ませる、といった構造が考えられる。  
上記の構造であると、全開位置からスライド扉１５を閉鎖する場合に、両ガイドローラ５０を凹部から脱出させねばならないため、閉じ始めに大きな引き操作力が必要となることが懸念される。また上記構造であると、全開時においてスライド扉１５が開口部１１に全く臨まないようにするためには、左右のガイドローラ５０はスライド扉１５の幅一杯に配する必要があり、それに対応してガイド路５５も長く形成する必要がある。
【００３５】
実施形態４は、上記の問題点を解決するべく完成されている。この実施形態では、ガイドローラ５０が左右一対備えられており、かつ各ガイドローラ５０は、左右のハンガローラ３０の支持ブラケット７０にそれぞれ装着されている。  
支持ブラケット７０は、図１６に示すように、上記実施形態１の支持ブラケット３６と同様に、チャンネル材を立てたような形状であって、基板７１Ａ並びに両側板７１Ｂの下縁から外向きに直角曲げして形成された取付板７２Ａ，７２Ｂがねじ止めされることで、スライド扉１５の上面の所定位置にそれぞれ立てられるようになっている。  
支持ブラケット７０の基板７１Ａには、略中央高さ位置に窓孔７３が開口されているとともに、同窓孔７３の上縁から表側に切り起こし形成された支持板７４の基端側に、軸受孔７５が開口されている。
【００３６】
ガイドローラ５０は、図１５に示すように、Ｌ型の基台７７に立てられた垂直軸４９回りの回転自由に支持されてアッセンブリ化されている。そして、ガイドローラ５０の半分強を窓孔７３に嵌め、また垂直軸４９の上端を軸受孔７５に挿通させた状態において、基台７７が、基板７１Ａの表面における窓孔７３の下方位置に当てられてねじ７８（図１７）で固定されている。  
これによりガイドローラ５０は、支持ブラケット７０に対し、ガイド路５５に摺接可能な高さ位置で支持されている。なお、図１７に示すように、両ガイドローラ５０のうち、左側のガイドローラ５０Ｌの方が右側のガイドローラ５０Ｒよりも、所定寸法（ガイドローラ５０の厚さより少し小さい寸法）高い位置に設けられている。以下、左右のガイドローラ５０を区別して説明する場合は、左側のガイドローラ５０Ｌ、右側のガイドローラ５０Ｒとして説明する。
【００３７】
一方、ガイド路５５側にも変更が加えられている。図１８に示すように、左右２本のガイド部材８０Ｌ，８０Ｒを備えており、左側のガイド部材８０Ｌは、ガイド路５５の左端にほぼ全縦幅に亘る左凹部８１Ｌが連設されているとともに、同ガイド路５５の右端には、略上半分の縦幅域において、通過路８２が延出形成されている。右側のガイド部材８０Ｒは、ガイド路５５の左端における略下半分の縦幅域にのみ、右凹部８１Ｒが連設されている。  
両ガイド部材８０Ｌ，８０Ｒは、図１７及び図１９に示すように、通過路８２と右凹部８１Ｒとを上下に重ねて横一本に並べられ、レール２０の配設面２８に配されている。
【００３８】
言い換えると、１本のガイド路５５の左端にほぼ全縦幅にわたる左凹部８１Ｌが配されるとともに、途中位置における下半分の縦幅域に右凹部８１Ｒが設けられ、同右凹部８１Ｒの上方に通過路８２が設けられた形状となる。  
そして、図２０に示すように、スライド扉１５が全閉位置にあるときには、左側のガイドローラ５０Ｌは、左凹部８１Ｌにおける縦幅のほぼ中央位置に、また、右側のガイドローラ５０Ｒは、右凹部８１Ｒにそれぞれ落ち込むように設定されている。
【００３９】
実施形態４の作用効果は、以下のようである。スライド扉１５が全閉位置から開放操作されると、左右のガイドローラ５０Ｌ，５０Ｒは対応する凹部８１Ｌ，８１Ｒからそれぞれ脱出したのちガイド路５５を転動し、この間に両ガイドローラ５０Ｌ，５０Ｒの位置が所定寸法上昇し、特に左側のガイドローラ５０Ｌが右凹部８１Ｒと対応した位置に差し掛かったところでは、図２１に示すように、同右凹部８１Ｒに落とし込まれることなくその上方の通過路８２を通過し、引き続いて両ガイドローラ５０Ｌ，５０Ｒともガイド路５５を転動して、図２２に示す全開位置に至る。
【００４０】
全開位置においてはガイドローラ５０が凹部に落とし込まれないようにしたから、全開位置からスライド扉１５を閉鎖する場合にガイドローラ５０を凹部から脱出させることが不要であり、閉じ始めの操作力を低減することができる。  
また、スライド扉１５を開いたときにガイドローラ５０が凹部に落ちないようにしたから、スライド扉１５が開口部１１に全く臨まない全開状態を担保するについて、左右のガイドローラ５０Ｌ，５０Ｒの間隔をスライド扉１５の幅一杯に取ることなくそれよりも短くできる。これにより、スライド扉１５を全開した場合の右側のガイドローラ５０Ｒの位置を開口部１１側に寄せることができ、結果ガイド路５５の全長を小さく抑えることが可能となり、製造コストの低減に寄与し得る。
【００４１】
＜他の実施形態＞
本発明は上記記述及び図面によって説明した実施形態に限定されるものではなく、例えば次のような実施形態も本発明の技術的範囲に含まれる。  
（１）上記実施形態では、ガイドローラをハンガローラよりも前方（貯蔵庫本体から離れる方）の位置においてガイド路に当てる構造とした場合を例示したが、ガイドローラをハンガローラよりも後方位置においてガイド路に当てる構造、例えば、ガイド路を開口部の上縁に沿って設ける一方、ガイドローラをスライド扉の上面における裏面寄りの位置に配するようにしてもよい。  
（２）実施形態１のハンガローラに関し、傾斜面の裾部に規制部を設けない構造としてもよく、そのようなものも本発明の技術的範囲に含まれる。  
（３）実施形態１において、ガイドローラは、ハンガローラの支持ブラケット間に渡された補強フレームとは別の部材を用いて装備するようにしてもよい。
【００４２】
（４）実施形態４において、スライド扉が全閉位置から開放されることに伴って上昇する場合に、左側のガイドローラが右凹部に落とし込まれることなくその上の通過路の位置まで上昇することが可能であれば、左側のガイドローラを右側のガイドローラと同一高さに配してもよい。  
（５）実施形態４において、一対のガイドローラは、ハンガローラの支持ブラケット以外の部材を用いて装備するようにしてもよい。
【符号の説明】
【００４３】
１０…貯蔵庫本体  １４…開口部  １５…スライド扉  １７…パッキン  ２２…レール部（レール）  ２２Ａ…（レール部２２の）上面  ３０，３０Ａ，３０Ｂ…ハンガローラ  ３２…傾斜面  ３３…規制部  ５０…ガイドローラ  ５５…ガイド路  ６０…凹部  ６９…凹面  ８１Ｌ，８１Ｒ…凹部  ８２…通過路
【図１】
0005448687.tif 000002
【図２】
0005448687.tif 000003
【図３】
0005448687.tif 000004
【図４】
0005448687.tif 000005
【図５】
0005448687.tif 000006
【図６】
0005448687.tif 000007
【図７】
0005448687.tif 000008
【図８】
0005448687.tif 000009
【図９】
0005448687.tif 000010
【図１０】
0005448687.tif 000011
【図１１】
0005448687.tif 000012
【図１２】
0005448687.tif 000013
【図１３】
0005448687.tif 000014
【図１４】
0005448687.tif 000015
【図１５】
0005448687.tif 000016
【図１６】
0005448687.tif 000017
【図１７】
0005448687.tif 000018
【図１８】
0005448687.tif 000019
【図１９】
0005448687.tif 000020
【図２０】
0005448687.tif 000021
【図２１】
0005448687.tif 000022
【図２２】
0005448687.tif 000023